(57)【要約】【課題】不使用時には遊技機に対して前方に位置しているが遊技者の着座時には後方へ移動することができ、かついすの座板部分の交換が簡単にできる有利な遊技用いすを提供することを目的とする。【解決手段】レール部２２，２３と面ファスナー部２５と肘掛けフレーム取付部２７とを備えた座板ベース２０と、前記座板ベース後部に立設された背もたれ部３０と、前記座板ベースのレール部が滑動する滑動部４５と前記レール部を常時前方に付勢するバネ部４７とを備えたスライドベース部４０と、前記座板ベースの面ファスナー部に対して着脱自在な被着部を備えた座クッション５０と、略コ字状のフレーム部６１と肘載せ部６５を有する肘掛け部６０とからなる。【選択図】図１
0003104835.tif 000002
【実用新案登録請求の範囲】
【請求項１】
パチンコ遊技機又はスロットマシン遊技機等のための床部に固設される脚部を有する遊技機用いすであって、
裏面側に遊技機に対して前後方向に延設されたレール部と、表面側に設けられた面ファスナー部と、遊技機に向かって右側に設けられた肘掛けフレーム取付部とを備えた座板ベースと、
前記座板ベース後部に立設された背もたれ部と、
前記脚部上部に配置されていて、前記座板ベースのレール部が滑動する滑動部と、該滑動部前部と前記レール部後部との間に張設されて前記レール部を常時前方に付勢するバネ部とを備えたスライドベース部と、
前記座板ベースの面ファスナー部に対して着脱自在な被着部を裏面側に備えた座クッションと、
前記座板ベースの肘掛けフレーム取付部と前記背もたれ部側部への螺着部を備えた略コ字状のフレーム部と、該フレーム部の上部に設けられた肘載せ部を有する肘掛け部
とからなることを特徴とする遊技機用いす。
【考案の詳細な説明】
【技術分野】
【０００１】
この考案は、パチンコ遊技機又はスロットマシン遊技機等のための床部に固設される脚部を有する遊技機用いすに関する。
【背景技術】
【０００２】
例えばパチンコホール等では、各遊技機（台）の正面に遊技機用いすが配置される。この種の遊技機用いすは、各遊技者が整然と遊技を楽しむことができるように、いすの脚部が所定の間隔でホールの床部に固設されている。しかしながら、遊技者にとっては、立ったり座ったりあるいは遊戯中に体の姿勢を変えたりする場合には、いすにある程度の自由度があることが好ましい。また、ホール側にとっては使用されていないいすはできるだけ前方に位置している方が、通行やあるいは外観上望ましい。
【０００３】
一方、遊技用のいすは、長時間にわたって多くの遊技者によって使用されるものであるから、座板部分の汚れや消耗が激しいものである。現在では座板部分の汚れや損傷によってはいす全体を交換せざるを得ないことが多い。このような場合に、座板部分のみの交換ができれば、いすの寿命も長くなり、経済的である。
【０００４】
さらに、遊技場では、大当たりサービスや各種イベントがひんぱんに行われているが、このような場合に、いすの座板部分を変えることによって大当たり台の表示をしたりあるいは遊技者の目を引くようにすれば、その効果を大きく高めることができ、好ましい。
【考案の開示】
【考案が解決しようとする課題】
【０００５】
この考案は、このような状況に鑑み提案されたものであって、いすの不使用時には遊技機に対して前方に位置しているが遊技者の着座時には後方へ移動することができ、かついすの座板部分の交換が簡単にでき、遊技者が心地よく楽しく遊技をすることができ、あわせてホール側にとっても外観あるいは管理上また経済的にも有利な遊技用いすを提供することを目的とする。
【課題を解決するための手段】
【０００６】
すなわち、請求項１の考案は、パチンコ遊技機又はスロットマシン遊技機等のための床部に固設される脚部を有する遊技機用いすであって、裏面側に遊技機に対して前後方向に延設されたレール部と、表面側に設けられた面ファスナー部と、遊技機に向かって右側に設けられた肘掛けフレーム取付部とを備えた座板ベースと、前記座板ベース後部に立設された背もたれ部と、前記脚部上部に配置されていて、前記座板ベースのレール部が滑動する滑動部と、該滑動部前部と前記レール部後部との間に張設されて前記レール部を常時前方に付勢するバネ部とを備えたスライドベース部と、前記座板ベースの面ファスナー部に対して着脱自在な被着部を裏面側に備えた座クッションと、前記座板ベースの肘掛けフレーム取付部と前記背もたれ部側部への螺着部を備えた略コ字状のフレーム部と、該フレーム部の上部に設けられた肘載せ部を有する肘掛け部とからなることを特徴とする遊技機用いすに係る。
【考案の効果】
【０００７】
請求項１の考案に係るいすによれば、座板ベース裏面側にレール部を備え、脚部上部のスライドベース部には前記レール部が滑動する滑動部と前記レール部を常時前方に付勢するバネ部とを備えたものであるから、いすの不使用時には遊技機に対して前方に位置しているが遊技者の着座時には後方へ移動することができ、遊技者にとっては、立ったり座ったりあるいは遊戯中に体の姿勢を変えたりする場合には、便宜であるとともに、ホール側にとっても使用されていないいすが前方に位置していて通行やあるいは外観上好ましい。
【０００８】
また、座板ベース表面側に設けられた面ファスナー部に対して着脱自在な被着部を裏面側に備えた座クッションを有するものであるから、いすの座クッションの交換が簡単にでき、遊技者が心地よく楽しく遊技をすることができるとともに、ホール側にとっても外観あるいは管理上また経済的にも有利である。大当たりサービスや各種イベントにおいて、いすの座板部分を変えることによって表示をし遊技者の目を引くことができその効果を高めることができる。
【考案を実施するための最良の形態】
【０００９】
以下添付の図面に従ってこの考案を詳細に説明する。図１はこの考案の一実施例の遊技機用いすの一部を切欠断面で表した側面図、図２は図１の遊技機用いすの座板部分を中心とする分解斜視図、図３は座板ベースとスライドベース部の部分断面図、図４は同じく切断部位を違えた部分断面図である。
【００１０】
この考案の実施例に係る遊技機用いす１０は、図１に図示するように、脚部１１と、座板ベース２０と、背もたれ部３０と、スライドベース部４０と、座クッション５０と、肘掛け部６０とからなる。図において符号Ｆは床部である。
【００１１】
脚部１１は遊技場（ホール）の床部Ｆに固設される。図１において、符号１２は脚パイプ、１３は取付ベース、１４は取付ボルト、１５は連結鋼棒（回転スプリング付き）、１６及び１７は化粧カバーである。
【００１２】
座板ベース２０は、図３及び図４からもよく分かるように裏面側２０ｂに遊技機に対して前後方向に延設されたレール部２２，２３を有する。実施例では、座板ベース裏面に取り付けられたレールベース２１に断面コ字状のレール部２２，２３がそれらの開口部を内側に対向して設けられている。図４の符号２４はレール部２２，２３の後退限度を規定するストッパである。また、座板ベース２０の表面側２０ａには図２のように面ファスナー部２５，２５が設けられている。さらに、座板ベース２０の遊技機に向かって右側には断面Ｌ字状の金属片からなる肘掛けフレーム取付部２７が備えられている。
【００１３】
背もたれ部３０は前記座板ベース２０後部に立設される。図２の符号３１は連結部材を表す。
【００１４】
スライドベース部４０は、図３及び図４からよく理解されるように、正面視略Ｕ字状の金属製の本体部材４１を有し、前記脚部１１上部に配置されている。図３において符号４２は脚部１１の連結鋼棒１５の挿通孔、４６は連結鋼棒１５の固定部材、１５Ａは連結鋼棒１５の固定部である。スライドベース部４０の略Ｕ字状の本体部材４１の開口端部は外方へ折り曲げられて鍔部４３，４３とされその先端に樹脂部材４４，４４が取り付けられていて前記座板ベース２０のレール部２２，２３が滑動する滑動部４５，４５とされている。また、図４のように、該滑動部４５，４５の前部と前記レール部２２，２３後部との間には前記レール部２２，２３を常時前方に付勢するバネ部４７，４７が張設されている。この例では、バネ部４７は、本体部材４１の前部とレールベース２１後部との間に張設されている。
【００１５】
座クッション５０は、クッション体よりなり、図２のように前記座板ベース２０の面ファスナー部２５に対して着脱自在な被着部５１を裏面側に備えている。
【００１６】
肘掛け部６０は、図２のように前記座板ベース２０の肘掛けフレーム取付部２７と前記背もたれ部側部への螺着部６２，６２を備えた略コ字状のフレーム部６１と、該フレーム部の上部に設けられた肘載せ部６５を有する。図２の符号６３は取付ボルトである。
【００１７】
以上の構成からなるこの考案の遊技機用いすにあっては、前記したように、いすの不使用時には遊技機に対して前方に位置していて、通行の邪魔になることがなくまた店内の外観も向上する。空いている遊技機を探すのにも便宜である。また、遊技者の着座時には後方へ移動することができ、遊技者にとっては、立ったり座ったりあるいは遊戯中に体の姿勢を変えたりする場合にも便宜である。
【００１８】
また、座クッションの交換が簡単かつ容易にしかも経済的に行えるので、常に美麗ないすを提供でき、遊技者が心地よく楽しく遊技をすることができるばかりでなく、各種のサービスやイベントにも利用することができる。そのほか、この考案の遊技機用いすによれば、肘掛け部が設けられていて遊技者が快適に遊技を楽しむことができる一方、この肘掛け部の交換も可能であるので、必要により、座クッションと同様に、各種のサービスやイベントにも利用することができるなど、この考案は遊技機用いすとして遊技者及び遊技提供者の双方にとって極めて有利である。
【図面の簡単な説明】
【００１９】
【図１】この考案の一実施例の遊技機用いすの一部を切欠断面で表した側面図である。
【図２】図１の遊技機用いすの座板部分を中心とする分解斜視図である。
【図３】座クッション部を基板部から取り外した状態を示すいすの正面図である。
【図４】同じく切断部位を違えた部分断面図である。
【符号の説明】
【００２０】
１０  遊技機用いす
１１  脚部
２０  座板ベース
２１  レールベース
２２，２３  レール部
２５  面ファスナー部
２７  肘掛けフレーム取付部
３０  背もたれ部
４０  スライドベース部
４１  本体部
４５  滑動部
４７  バネ部
５０  座クッション
５１  被着部
６０  肘掛け部
６１  フレーム部
６５  肘載せ部機
【図１】
0003104835.tif 000003
【図２】
0003104835.tif 000004
【図３】
0003104835.tif 000005
【図４】
0003104835.tif 000006